(57)【特許請求の範囲】
【請求項１】
建築物の外壁面に沿って水平に配設された案内部材に移動可能に支持された移動手段から、吊り下げロープ部材を介してケージが吊り下げられ、前記移動手段の移動によって前記ケージが前記建築物の外壁面に沿って水平方向に移動するゴンドラ装置において、
前記案内部材を、ガイドレールと、このガイドレールの長手方向全長に連結される補強ビームとで構成する一方、
支持柱部材から揺動可能な支持アームとバランスアームが対称的に延設されて成る支持部材が、前記建築物の屋上に前記支持アームを前記建築物の外壁面より突出させた状態で前記案内部材の配設方向に沿って複数配設されると共に、これら複数の支持部材の前記支持アームによって前記案内部材の前記補強ビームを長手方向任意の位置で支持可能とされ、前記支持部材の前記支持柱部材を支点とした前後の重量バランスは前記ケージ及び前記案内部材を含む支持アーム側より前記バランスアーム側が大きく設定されて構成されていることを特徴とするゴンドラ装置のケージ吊り下げ支持機構。
【請求項２】
上記バランスアームには、バランスウェイト部材が結合されて上記重量バランスに設定されていることを特徴とする請求項１に記載のゴンドラ装置のケージ吊り下げ支持機構。
【発明の詳細な説明】
【０００１】
【発明の属する技術分野】
本発明は、建築物の外壁面に沿って水平に配設された案内部材に移動可能に支持された移動手段から、吊り下げロープ部材を介してケージが吊り下げられ、移動手段の移動によってケージが建築物の外壁面に沿って水平方向に移動するゴンドラ装置のケージ吊り下げ支持機構に関する。
【０００２】
【従来の技術】
従来より、建物の外壁面の施工や補修等の作業を行う際には、作業者が乗り込むことのできるケージを吊り下げロープ部材によって吊り下げ支持し、吊り下げロープ部材を巻取ることによってケージを外壁面に沿って昇降可能としたゴンドラ装置が用いられている。
【０００３】
このようなゴンドラ装置として、建物の上縁部に沿って水平に配設されたガイドレールに沿ってケージが水平に移動可能に支持されるものがある。
【０００４】
即ち、図７に正面図，図８にそのＢ−Ｂ断面に相当する側面図を示すように、建築物１の上縁部に沿って水平に配設されたガイドレール２に沿って移動するトロリー３から垂下された吊り下げロープ部材４にケージ５が備えた昇降装置５Ａが係合してケージ５が吊り下げ支持され、トロリー３の移動によってケージ５が建築物１の外壁面１Ａに沿って水平方向に移動すると共に、昇降装置５Ａの駆動によってその吊り下げロープ部材４との係合位置が変化して昇降するように構成される。
【０００５】
ガイドレール２は、その長手方向に所定間隔で備えられた固定金具２Ａで建築物１の外縁部に突設されたパラペット１Ｂを挟み込むことで固定されるようになっている。
【０００６】
【発明が解決しようとする課題】
しかしながら、上記のごときゴンドラ装置のケージ吊り下げ支持構造では、その外縁部にパラペット１Ｂ等の突起物を備えていない建築物や、備えていても十分な強度を有しない建築物には装着することができないものであった。
【０００７】
また、ガイドレール２を建築物１に固定する固定金具２Ａが建築物１の外壁面１Ａ側に位置するため、外壁面１Ａに塗装等の作業をする場合には固定金具２Ａの陰になる部位に対して作業することができず、当該部位に対する作業は他の部位の作業が終了して固定金具２Ａを外した後に行わなければならないものであった。その結果、作業を合理的に行うことができないと共に外壁面１Ａに作業ムラを生ずる虞があるという問題があった。
【０００８】
本発明は、上記問題に鑑みてなされたものであって、外縁部に装着すべき突起を有さない建築物にも装着することができると共に、固定金具が建築物の壁面を覆って作業の障害となることのないゴンドラ装置のケージ吊り下げ支持機構を提供することを目的とする。
【０００９】
【課題を解決するための手段】
上記目的を達成する本発明に係るゴンドラ装置のケージ吊り下げ支持機構は、建築物の外壁面に沿って水平に配設された案内部材に移動可能に支持された移動手段から、吊り下げロープ部材を介してケージが吊り下げられ、前記移動手段の移動によって前記ケージが前記建築物の外壁面に沿って水平方向に移動するゴンドラ装置において、前記案内部材を、ガイドレールと、このガイドレールの長手方向全長に連結される補強ビームとで構成する一方、支持柱部材から揺動可能な支持アームとバランスアームが対称的に延設されて成る支持部材が、前記建築物の屋上に前記支持アームを前記建築物の外壁面より突出させた状態で前記案内部材の配設方向に沿って複数配設されると共に、これら複数の支持部材の前記支持アームによって前記案内部材の前記補強ビームを長手方向任意の位置で支持可能とされ、前記支持部材の前記支持柱部材を支点とした前後の重量バランスは前記ケージ及び前記案内部材を含む支持アーム側より前記バランスアーム側が大きく設定されて構成されていることを特徴とする。
【００１１】
【発明の実施の形態】
以下添付図面を参照して本発明の実施の形態について説明する。
【００１２】
図１は、本発明に係る水平移動可能なゴンドラ装置のケージ吊り下げ支持機構の一構成例の正面図，図２はそのＡ−Ａ断面に相当する支持部材１０の側面図である。
【００１３】
図示ゴンドラ装置のケージ吊り下げ支持機構は、案内部材としてのガイドレール２１を備えるガイド部材２０が、建築物１の屋上に所定間隔で配設された複数の支持部材１０によって支持されて建築物１の上縁に沿って配設されて構成されている。そして、そのガイドレール２１に移動手段としてのトロリー３０（図１には示さず）が当該ガイドレール２１に沿って移動可能に設けられ、トロリー３０から垂下された吊り下げロープ部材としての一対の吊りワイヤ４０を介してケージ５０を吊り下げ支持するようになっている。
【００１４】
トロリー３０は、詳細は図示しないが駆動側と従動側がケージ５０の幅と略等しい間隔で連結されて構成され、その車輪３１（図３に示す）がガイド部材２０のガイドレール２１に嵌合して、その駆動によってガイドレール２１に沿って移動するようになっている。
【００１５】
トロリー３０から垂下された一対の吊りワイヤ４０は、ケージ５０の両端近傍にそれぞれ設けられた昇降装置５１に係合しており、左右の昇降装置５１の同期駆動によってケージ５０が昇降するようになっている。
【００１６】
即ち、ケージ５０は、トロリー３０の駆動によってガイド部材２０（ガイドレール２１）に沿って（建築物１の外面１Ａに沿って）水平方向に移動し、昇降装置５１の駆動によって鉛直方向に昇降するようになっているものである。
【００１７】
以下、ケージ吊り下げ支持機構を詳細に説明する。
【００１８】
支持部材１０は、所定長さの基板１１Ａ上に鋼管柱が立設されて成る支持柱部材としての支持脚柱１１に、ガイド部材２０を支持する支持アームとしての支持揺動アーム１２と、バランスアーム１３とが設けられて構成されている。
【００１９】
支持揺動アーム１２は、角パイプによって形成され、その下端部で支持脚柱１１に回転自在に嵌合した支柱管１２Ａに直角に接合されて水平に配設されている。また、その先端と支柱管１２Ａの上端との間に補強部材１２Ｂが斜めに架設されている。支柱管１２Ａが支持脚柱１１に対して回転することによって水平面内で揺動するが、その揺動は図示しないピンによって規制され、所定角度で固定されるようになっている。尚、その高さ方向の位置は、設置する建築物１に応じて外縁部のパラペット等と干渉しないように適宜変更して設定されるものである。
【００２０】
支持揺動アーム１２のアーム１２Ａの先端には、ガイド部材２０を支持する支持金具１４が設けられている。
【００２１】
支持金具１４は、当該部位の拡大側面図である図３に示すように、回転筒部１４Ａの上下二カ所に上側に開放するフック１４Ｂを備えて成り、その回転筒部１４Ａが支持揺動アーム１２の先端部に鉛直下向きに固定された軸管１２Ｄに外挿されて回転自在且つ脱落不能に設けられ、その上下のフック１４Ｂにガイド部材２０を係合させて（ガイドレール２１と補強ビーム２２をそれぞれ係合させて）保持するようになっている。
【００２２】
バランスアーム１３は、角パイプによって所定長さに形成され、その端部が支持脚柱１１の上端部に直角に接合されて水平に設けられている。また、その先端と、支持揺動アーム１２の支柱管１２Ａの上端に回転自在に嵌合したキャップ部材１５との間に補強部材１３Ａが架設されている。
【００２３】
尚、支持揺動アーム１２，バランスアーム１３及び各補強部材１２Ｂ・１３Ａは、それぞれ長手方向に分割されており、その分割部に所定長さの継ぎ足し部材を介装することによって長さを変更することができるようになっている。
【００２４】
ガイド部材２０は、図４（Ａ）に正面図，（Ｂ）にその側面図を示すように、リップ溝形鋼によるガイドレール２１と角パイプによる補強ビーム２２とが連結材２３によって所定間隔で平行に結合されて所定長さの梯子状に形成されている。その端部には接合板２４が設けられており、この接合板２４を介して複数接続することによってケージ５０の所要移動量と対応する任意の長さに形成し得るようになっている。そして、ガイドレール２１と補強ビーム２２が支持金具１４のフック１４Ｂに係合することで支持金具１４（即ち支持揺動アーム１２）に支持され、従って、支持揺動アーム１２（即ち支持部材１０）による当該ガイド部材２０の被支持位置は連結材２３と干渉しない位置であればその長手方向任意の位置に設定することができる。つまり、ガイド部材２０を支持する支持部材１０の長手方向における相対位置は任意に設定可能となっているものである。
【００２５】
上記のごとく構成された支持部材１０は、建築物１の外壁面１Ａから所定量（支持揺動アーム１２の長さ以下）内側に、ガイド部材２０の配設方向に沿って所定間隔で複数配設されると共に、それぞれの支持脚柱１１が配設方向に沿って配置された連結パイプ１６に固定されることで全て連結されて設けられる。
【００２６】
これにより、支持揺動アーム１２の先端の支持金具１４によって支持されるガイド部材２０は建築物１の外壁面１Ａから所定量外側（ケージ５０の吊り下げ位置の真上）に位置する。また、支持金具１４は支持揺動アーム１２に回転自在に設けられているため、ガイド部材２０を支持した支持揺動アーム１２を支持脚柱１１に対して揺動させることによって、概念平面図である図５に示すようにガイド部材２０が建築物１の壁面１Ａに対して平行状態を保って離接するようになっている。
【００２７】
バランスアーム１３には、バランスウェイト部材としてのウェイト６０が結合され、これによって支持部材１０の支持脚柱１１を支点として前方側より後方側が所定量重い重量バランスに設定されている。
【００２８】
即ち、支持脚柱１１から前方側に延びる支持揺動アーム１２に作用するモーメント（当該支持揺動アーム１２，ガイド部材２０及びケージ５０の重量によって生ずるモーメント）に対し、支持脚柱１１から後方側に延びるバランスアーム１３に作用するモーメント（当該バランスアーム１３及びウェイト６０の重量によって生ずるモーメント）が所定の安全率を有して大きく設定され、これによって全体として安定的に建築物１に設置されるものである。尚、このような重量バランスを得るための重量は全ての支持部材１０に均等に振り分けなければならないものではなく、全体として必要な重量となるように適当な重量のウェイト６０を任意の支持部材１０に適宜設ければ良いものである。
【００２９】
ウェイト６０は、アングル製の枠組み内に所用重量の鋼材を収容したものや、水密性の容器内に水を充填して用いることができる。また、図６に示すように、所定重量のＨ形鋼等の鋼材６１を支持部材１０の配列方向（即ちガイド部材２０の配設方向）と平行に建築物１の屋上に設置し、この鋼材６１とバランスアーム１３とを連結部材６２を介して結合しても良く、このような構成では、鋼材６１の上に所定重量のウェイトを載置することで全体の重量を調整することも可能となる。
【００３０】
また、前方側に作用するモーメントは使用するゴンドラ５０の種類や数によって変化するが、モーメントが小さく建築物の屋上後方側に余裕があってバランスアーム１３の長さを任意に設定可能な場合では、ウェイト６０を用いることなくバランスアーム１３のみによって所定の重量バランスを得ても良いものである。
【００３１】
尚、何れにしても、安全のためにバランスアーム１３と建築物１とを安全ロープによって結合しておく必要があることはいうまでもない。
【００３２】
而して、上記のごときゴンドラ装置のケージ吊り下げ支持構造によれば、支持部材１０は直接建築物１に固定されずに重量バランスによって建築物１の屋上に安定的に設置される。これにより、外縁部にパラペット等の突起物を備えていない建築物や、備えていても十分な強度を有しない建築物にも容易に設置することができると共に、固定金具が建築物の外壁面を覆って作業不能域を形成することがないために合理的な作業が可能となる。
【００３３】
また、支持部材１０はガイド部材２０を係合支持しているものであるためにその配設位置は等間隔である必要はなく適宜設定可能であり、屋上の既存の障害物を避けて配設することができ、対象建築物に応じて臨機応変に対応できるものである。
【００３４】
ガイド部材２０は、前述のごとく支持揺動アーム１２を支持脚柱１１に対して揺動することによって建築物１の壁面１Ａに対して平行状態を保って離接するため、これによってケージ５０の壁面１Ａとの距離を変えることができ、外壁面１Ａから突出したベランダ等のオーバーハング部位に対しても容易に対応して作業することができるものである。
【００３５】
【発明の効果】
以上述べたように、本発明に係るゴンドラ装置のケージ吊り下げ支持機構によれば、支持部材は直接建築物に固定されずに重量バランスによって建築物の屋上に安定的に設置されるものであるため、外縁部にパラペット等の突起物を備えていない建築物や、備えていても十分な強度を有しない建築物にも容易に設置することができると共に、固定金具が建築物の外壁面を覆って作業不能域を形成することがないために合理的な作業が可能となるものである。
【００３６】
また、案内部材がその長手方向任意の位置で支持部材の支持アームに係合支持されるように構成されていることにより、支持部材を建築物の屋上の既存の障害物を避けて配設することができ、対象建築物に応じて臨機応変に対応できるものである。
【図面の簡単な説明】
【図１】本発明に係る水平移動可能なゴンドラ装置のケージ吊り下げ支持機構の一構成例の正面図である。
【図２】図１のＡ−Ａ断面に相当する支持部材の側面図である。
【図３】支持金具によるガイド部材の支持構造を示す拡大側面図である。
【図４】ガイド部材を示す図であって、（Ａ）は正面図，（Ｂ）は側面図である。
【図５】支持揺動アームの揺動によるガイド部材の移動を示す概念平面図である。
【図６】他の構成例であるウェイトを適用した支持部材の側面図である。
【図７】従来例としてのケージ吊り下げ支持機構の正面図である。
【図８】図７のＢ−Ｂ断面図に相当するケージ吊り下げ支持機構の側面図である。
【符号の説明】
１  建築物
１Ａ  外壁面
１０  支持部材
１１  支持脚柱（支持柱部材）
１２  支持揺動アーム（支持アーム）
１３  バランスアーム
２１  ガイドレール部材（案内部材）
３０  トロリー（移動手段）
４０  吊りワイヤ（吊り下げロープ部材）
５０  ケージ
６０  ウェイト（バランスウェイト部材）
【図１】
0003626304.tif 000002
【図２】
0003626304.tif 000003
【図３】
0003626304.tif 000004
【図４】
0003626304.tif 000005
【図５】
0003626304.tif 000006
【図６】
0003626304.tif 000007
【図７】
0003626304.tif 000008
【図８】
0003626304.tif 000009